【手続補正書】
【提出日】平成17年9月22日(2005.9.22)
【手続補正１】
【補正対象書類名】明細書
【補正対象項目名】００５２
【補正方法】変更
【補正の内容】
【００５２】
本体３のスタンド２’寄りの位置の内部には、更に、電源である電池Ｂ１，Ｂ２を収納する電池ボックス（図示せず）が設けられ、底面に電池を交換するための交換口（図示せず）が設けられ、着脱自在の蓋（図示せず）が取付られている。
【手続補正２】
【補正対象書類名】明細書
【補正対象項目名】００７８
【補正方法】変更
【補正の内容】
【００７８】
扇状歯車２５の長孔２５ｄからハウジング１５ｂに形成された支持軸２４’が突出し、この支持軸２４’に前記機能歯車２４の軸孔２４ｄが嵌め込まれ、ワッシャを介してネジ止めされる。このとき、前記扇状歯車２５の突起２５ｂは、機能歯車２４の下面のハート状溝２４ｃに嵌め込まれる。機能歯車２４は、支持軸２４’を支点として回転自在である。
【手続補正３】
【補正対象書類名】明細書
【補正対象項目名】００８０
【補正方法】変更
【補正の内容】
【００８０】
上記歯車で構成される歯車列は、モータ１６の回転を減速して機能歯車２４に伝達する。機能歯車２４が回転すると、扇状歯車２５の上面の突起が機能歯車２４の下面のハート状溝２４ｃに沿って移動し、扇状歯車２５は軸２４’を支点として長孔２５ｄの角度範囲で往復回転する。
【手続補正４】
【補正対象書類名】明細書
【補正対象項目名】００８１
【補正方法】変更
【補正の内容】
【００８１】
この往復回転する扇状歯車の歯２５ｃは、投影ユニット１３をＵ字上アームで挟み込んで保持する前記第１アーム部材５０の中心から外方へ（図１２では右側へ）突出している軸５０ａの先端部５０ｂに取付られ固定された前後方向変更歯車２６（後述の下部構成に含まれる）と噛み合い、第１アーム部材５０を所定角度前後に傾けることで、後述のように第１アーム部材５０で保持されている投影ユニット１３の投影方向を前後方向へ往復変更させる。
【手続補正５】
【補正対象書類名】明細書
【補正対象項目名】００８５
【補正方法】変更
【補正の内容】
【００８５】
第１アーム部材５０の軸５０ａは、下部ハウジング１５ｃの一端に設けたネジ孔５２’にネジ止めされる支持部材５２の中央に設けた貫通孔５２ａを貫通し、軸５０ａの先端に取付られた前後方向変更歯車２６は下部ハウジング１５ｃの上面に立設された２つの軸受け２６’の半円形凹部に安定に支持される（図６）。
【手続補正６】
【補正対象書類名】明細書
【補正対象項目名】０１００
【補正方法】変更
【補正の内容】
【０１００】
従って、投影ユニット１３の投影方向は、第１アーム部材５０及び第２アーム部材５１の動きに基づいて前後方向へ往復変更されると同時に、左右方向へも予想できない複雑な軌道で変更される。
【手続補正７】
【補正対象書類名】明細書
【補正対象項目名】０１１０
【補正方法】変更
【補正の内容】
【０１１０】
図１８のフローチャートに示すように、遊戯装置１を稼働させるためには、１人ゲーム／２人ゲーム決定スイッチＳＷ１を中央の電源オフの位置から右又は左へ移動させる（ステップ１）。
【手続補正８】
【補正対象書類名】明細書
【補正対象項目名】０１１７
【補正方法】変更
【補正の内容】
【０１１７】
このように、遊戯者は、１人ゲーム又は２人ゲームの選択を遊戯装置１に電源を入れるときに行うことができる。
【手続補正９】
【補正対象書類名】明細書
【補正対象項目名】０１３０
【補正方法】変更
【補正の内容】
【０１３０】
この遊戯装置１においてモータ駆動の速度は複数に設定されＣＰＵ３１がその速度選択の基準としてレベル１、２及び３が設定され、それ以上のレベルは設定されていない。従って、レベル４になった場合はレベル１に戻るように設定されている。
【手続補正１０】
【補正対象書類名】明細書
【補正対象項目名】０１５０
【補正方法】変更
【補正の内容】
【０１５０】
ＣＰＵ３１は機能光線カウンタの値が３より小さいか判定する（ステップ３１）。“ＹＥＳ”と判定した場合はスピード１でモータの駆動を開始し（ステップ３２）、０．５秒後にモータを停止する（ステップ３３）。機能光線カウンタの値が３より小さいということは、遊戯者がラケットの位置をずらしたりして、１０回の機能光線の出力のうち２回以下しか、ラケットの反射面に機能光線を当てることができず、サービスに失敗したことを意味する。
【手続補正１１】
【補正対象書類名】明細書
【補正対象項目名】０１５５
【補正方法】変更
【補正の内容】
【０１５５】
判定結果が“ＹＥＳ”の場合にはモータを最も速いスピード５で駆動する（ステップ４０）。判定結果が“ＮＯ”の場合にはモータを最も遅いスピード１で駆動する（ステップ４１）。
【手続補正１２】
【補正対象書類名】明細書
【補正対象項目名】０１６０
【補正方法】変更
【補正の内容】
【０１６０】
その後可視光線の出力を開始し（ステップ４９）、機能光線（赤外線）の出力も開始する（ステップ５０）。この場合の機能光線の出力も前記ステップ１０におけるのと同様の断続的出力である。前記ステップ２１と同様に、機能光線を検出したかの判定を行って（ステップ５１）、“ＹＥＳ”と判定すると、機能光線の出力を停止し（ステップ５２）、図２３に示すテニスの試合のサーブと同様の手順を繰り返す。
【手続補正１３】
【補正対象書類名】明細書
【補正対象項目名】０１８６
【補正方法】変更
【補正の内容】
【０１８６】
次に、機能光線を検出したか否かを判定する（ステップ８５）。遊戯者であるプレーヤ１がラケットの反射面を光の投影個所に合わせる動作を行って、機能光線がラケットの反射面に当たり、反射機能光線（反射赤外線）が機能光線センサ（赤外線センサ）ＳＷ２に達すると機能光線センサＳＷ２が検出信号を発生する。ＣＰＵ３１は、機能光線センサＳＷ２からの信号を検出すると、“ＹＥＳ”と判定して機能光線カウンタを１加算する（ステップ８６）。“ＮＯ”と判定した場合は、機能光線カウンタを加算しない。
【手続補正１４】
【補正対象書類名】明細書
【補正対象項目名】０２０３
【補正方法】変更
【補正の内容】
【０２０３】
判定結果が“ＮＯ”の場合は、得点が１ゲーム勝利に達していないので、獲得している得点を遊戯者に知らせるために音声でプレーヤ１の得点とプレーヤ２の得点をテニスの試合におけるのと同様の音声を発生させる（ステップ１１８）。その後、図２５に示すサーブの予備手順に移行する。
【手続補正１５】
【補正対象書類名】明細書
【補正対象項目名】図面の簡単な説明
【補正方法】変更
【補正の内容】
【図面の簡単な説明】
【図１】
本発明の実施例の遊戯装置の外観斜視図。
【図２】
図１の遊戯装置の本体の部分平面図。
【図３】
図１の遊戯装置の可動ユニットの斜視図。
【図４】
図３の可動ユニットを構成する投影ユニットの斜視図。
【図５】
図４の投影ユニットを構成する構成部材の斜視図。
【図６】
図３の可動ユニットを構成する駆動ユニットの構成部材の斜視図。
【図７】
図６の駆動ユニットを構成する上部構成の構成部材の斜視図。
【図８】
図７の上部構成と図６の駆動ユニットに含まれる機能歯車の平面図。
【図９】
図７の上部構成と図６の駆動ユニットに含まれる機能歯車の平面図。
【図１０】
図６の駆動ユニットを構成する中部構成の構成部材の斜視図。
【図１１】
図１０の中部構成における歯車の配置及び図６R>６の駆動ユニットに含まれる前後方向変更歯車との噛み合わせを示す斜視図。
【図１２】
図６の駆動ユニットを構成する下部構成の構成部材と図３の投影ユニットを保持するアーム部材の斜視図。
【図１３】
図４の投影ユニットを保持するアーム部材と図１２の下部構成に含まれる歯車との連結状態を示す斜視図。
【図１４】
図４の投影ユニットを保持するアーム部材と図１２の下部構成に含まれる歯車との連結状態を示す斜視図。
【図１５】
図１３の歯車と連結部材の部分平面図。
【図１６】
図１の遊戯玩具の電気回路図。
【図１７】
図１６のブロック図。
【図１８】
図１の遊戯装置の遊戯手順を表すフローチャート。
【図１９】
図１６の回路図の一部。
【図２０】
図１６の回路図の一部。
【図２１】
図１６の回路図の一部。
【図２２】
図１の遊戯装置の遊戯手順を表すフローチャート。
【図２３】
図１の遊戯装置の遊戯手順を表すフローチャート。
【図２４】
機能光線カウンタの値とモータの回転速度の関係を示す表。
【図２５】
図１の遊戯装置の遊戯手順を表すフローチャート。
【図２６】
図１の遊戯装置の遊戯手順を表すフローチャート。
【図２７】
機能光線カウンタの値とモータの回転速度の関係を示す表。
【図２８】
レベルと、ヒットカウンタの値と、モータの回転速度の関係を示す表。
【図２９】
スピード設定処理の手順を表すフローチャート。
【図３０】
図１の遊戯装置の遊戯手順を表すフローチャート。
【図３１】
図１の遊戯装置の遊戯手順を表すフローチャート。
【図３２】
図１の遊戯装置の遊戯手順を表すフローチャート。
【符号の説明】
１…遊戯装置、２，２’…スタンド、３…本体、４…円形拡大部、５ａ，５ｂ…ＬＥＤ、５ｃ…可視光線出力源、５ｄ…機能光線出力源、６…スピーカ、７…ラケット、８…グリップ、９，９’…電池、１０…反射面、１１…シート、１２…可動ユニット、１３…投影ユニット、１４…駆動ユニット、１５ａ…上部ハウジング、１５ｂ…中部ハウジング、１５ｃ…下部ハウジング、１６…モータ、１６ａ，２０…ピニオン、１７，１８…減速歯車、１９…縦長減速歯車、２１，２２，２３…歯車、２４…機能歯車、２５…扇状歯車、２６…前後方向変更歯車、３０…マイクロコンピュータ、３１…ＣＰＵ、３２…Ｉ／Ｏポート、３３…ＲＯＭ、３４…ＲＡＭ、３６…クロック源、４２…Ｐ１ＬＥＤ駆動回路、４３…Ｐ２ＬＥＤ駆動回路、４４…音信号発生回路、４５…可視光線出力源駆動回路、４６…機能光線出力源駆動回路、４７…モータ駆動回路、５０…第１アーム部材、５１…第２アーム部材、５２…支持部材、５３…筒部材、５４…長板部材、５５…軸受け部材、５６，５７…シャフト、ＳＷ１…１人ゲーム／２人ゲーム決定スイッチ、ＳＷ２…機能光線センサ、ＳＷ３…プレーヤ１スイッチ、ＳＷ４…プレーヤ２スイッチ、ＳＷ５…ゲームセレクトスイッチ、ＳＷ６…レベルセレクトスイッチ。
【手続補正１６】
【補正対象書類名】図面
【補正対象項目名】図１６
【補正方法】変更
【補正の内容】
【図１６】
2000061134.tif 000001
【手続補正１７】
【補正対象書類名】図面
【補正対象項目名】図１９
【補正方法】変更
【補正の内容】
【図１９】
2000061134.tif 000002
【手続補正１８】
【補正対象書類名】図面
【補正対象項目名】図２０
【補正方法】変更
【補正の内容】
【図２０】
2000061134.tif 000003
【手続補正１９】
【補正対象書類名】図面
【補正対象項目名】図２１
【補正方法】変更
【補正の内容】
【図２１】
2000061134.tif 000004